(57)【要約】 【課題】煙草のもみ消し処理が容易で、且つ紫煙を確実に吸引することができる吸殻回収装置を提供する。【解決手段】遊技機設置島の前側の膳板２に貫設された投入口２２に投入された吸殻を、膳板２の下面に配設した搬送装置４により遊技機設置島の端部まで回収する吸殻回収装置であって、膳板２の下面に膳板２の長手方向に沿って細長の吸殻回収路３２と空気の吸引路３３とを並設して、吸殻回収路３２の中には前記搬送装置４を配設したうえに、投入口２２には垂直方向に回動される開閉蓋５を設ける。開閉蓋５の先端には、紫煙吸引口５２を設けて、この紫煙吸引口５２を、開閉蓋５内に設けられた空気の流路５３と、膳板２に設けられた連絡孔２３を通って、空気の吸引路３３と連通させる。【選択図】図２
2007301189.tif 000002
【特許請求の範囲】
【請求項１】
遊技機設置島の前側の膳板に貫設された投入口に投入された吸殻を、膳板の内部又は下面に配設した搬送装置により遊技機設置島の端部まで回収する吸殻回収装置であって、
膳板の内部又は下面に、膳板の長手方向に沿って細長の吸殻回収路と空気の吸引路とを並設して、吸引路の一端部には空気の吸引手段を配設し、吸殻回収路の中には前記搬送装置を配設したうえに、
投入口には垂直方向に回動される開閉蓋を設け、この開閉蓋の先端に紫煙吸引口を設けて、この紫煙吸引口を空気の吸引路と連通させたことを特徴とする吸殻回収装置。
【請求項２】
開閉蓋は、投入口を開放したとき垂直に起立され、その前面に紫煙吸引口が設けられている請求項１に記載の吸殻回収装置。
【請求項３】
遊技機設置島の前側の膳板に貫設された投入口に投入された吸殻を、膳板の内部又は下面に配設した搬送装置により遊技機設置島の端部まで回収する吸殻回収装置であって、
膳板の内部又は下面に、膳板の長手方向に沿って細長の吸殻回収路と空気の吸引路とを並設して、吸引路の一端部には空気の吸引手段を配設し、吸殻回収路の中には前記搬送装置を配設したうえに、
投入口の一側には、紫煙吸引口を有する吸引部材を立設するとともに、前記紫煙吸引口を空気の吸引路と連通させたことを特徴とする吸殻回収装置。
【請求項４】
投入口には、水平回動して投入口を開閉する開閉蓋を設けた請求項３に記載の吸殻回収装置。
【請求項５】
開閉蓋を閉めた状態において、紫煙吸引口が塞がれるようにしたことを特徴とする請求項１又は２又は４に記載の吸殻回収装置。
【発明の詳細な説明】
【技術分野】
【０００１】
本発明は、パチンコホールなどの遊技場に設置される煙草の吸殻回収装置に関するものである。
【背景技術】
【０００２】
従来から大勢の人が集まる遊技場においては煙草の紫煙による健康への影響が懸念されてきた。そこで、このような紫煙による弊害を低減するために種々の対策が採用されてきた。例えば特許文献１には、遊技機の前側に配設される細長中空体からなる物置台（膳板）の上面に、内部空間に連通する複数の煙草の吸殻の投入口を形成した灰皿を設け、この物置台の内部空間には少なくとも一つの吸殻の回収装置を接続し、前記投入口から投入された煙草の吸殻をこの物置台の内部空間を移送して前記回収装置に回収する移送手段を設け、前記物置台に通風管を設け、この通風管の端部に通風管内を排風する排風機を連通し、前記投入口の近傍に前記通風管の連通された煙草の煙を吸入する吸込口を形成した煙草の吸殻処理装置において、前記煙草の吸殻の投入口と吸込口とを覆う平板状の蓋体を開閉自在に設けた煙草の吸殻処理装置が開示されている。このものは、投入口と吸引口とを蓋体で覆って紫煙を室外に排出することができる。
【０００３】
紫煙は上方に立ち上がるので、紫煙の吸引口はなるべく吸殻の上方に設けるのが望ましいが、上記したものにおいては、投入口と吸引口とが物置台の面上に設けられているので吸引口が紫煙を吸い込み難い。蓋体は紫煙を吸引口まで案内する役割を持つものであるが、紫煙を吸引口に案内するには蓋体の上方への開放角度をできるだけ狭くして紫煙が上方に立ち上らないようにする必要がある。このため、蓋体が邪魔になって喫煙者は煙草のもみ消し処理がしづらいという問題がある。また、開放角度を大きく取った場合には、紫煙を吸引する効果が小さくなるという問題が生ずる。
【０００４】
【特許文献１】特開平８−１５５１２９号公報  (図１)
【特許文献２】特開２００５−３１９１８１号公報（図１）
【発明の開示】
【発明が解決しようとする課題】
【０００５】
本発明は、上記した従来の問題点に鑑み、煙草のもみ消し処理が容易で、且つ紫煙を確実に吸引することができる吸殻回収装置を提供することを課題とする。
【課題を解決するための手段】
【０００６】
上記の課題を解決するためになされた本発明の吸殻回収装置は、  遊技機設置島の前側の膳板に貫設された投入口に投入された吸殻を、膳板の内部又は下面に配設した搬送装置により遊技機設置島の端部まで回収する吸殻回収装置であって、
膳板の内部又は下面に、膳板の長手方向に沿って細長の吸殻回収路と空気の吸引路とを並設して、吸引路の一端部には空気の吸引手段を配設し、吸殻回収路の中には前記搬送装置を配設したうえに、
投入口には垂直方向に回動される開閉蓋を設け、この開閉蓋の先端に紫煙吸引口を設けて、この紫煙吸引口を膳板を貫通して空気の吸引路と連通させたことを特徴とするものである。
上記した発明において、開閉蓋は、投入口を開放したとき垂直に起立され、その前面に吸引口が設けられているものとすることができる。
【０００７】
また、本発明の吸殻回収装置は、  遊技機設置島の前側の膳板に貫設された投入口に投入された吸殻を、膳板の内部又は下面に配設した搬送装置により遊技機設置島の端部まで回収する吸殻回収装置であって、
膳板の内部又は下面に、膳板の長手方向に沿って細長の吸殻回収路と空気の吸引路とを並設して、吸引路の一端部には空気の吸引手段を配設し、吸殻回収路の中には前記搬送装置を配設したうえに、
投入口の一側には、紫煙吸引口を有する吸引部材を立設するとともに、前記紫煙吸引口を膳板を貫通して空気の吸引路と連通させたことを特徴とするものである。
上記した発明において、投入口には、水平回動して投入口を開閉する開閉蓋を設けることができ、開閉蓋を閉めた状態において、紫煙吸引口が塞がれるようにすることができる。
【発明の効果】
【０００８】
請求項１に係る発明は、開閉扉を開放したときに吸引口が投入口より高位に位置するので、投入口から立ち上がる紫煙を確実に吸い込むことができる。
請求項２に係る発明は、開閉扉を垂直に起立させるので、吸殻もみ消し時に開閉扉が邪魔になることはない。
請求項３に係る発明は、投入口の一側に紫煙吸引口を有する吸引部材を立設したので、投入口から立ち上る紫煙を紫煙吸引口から吸込むことができる。
請求項４に係る発明は、投入口に水平回動する開閉蓋を設けたので、非喫煙時には投入口を閉鎖して投入口からの紫煙、臭気の逸出を防止することができる。
請求項５に係る発明は、開閉扉を倒したとき又は投入口上に回動したときに投入口が塞がれるので、紫煙吸引口を塞ぐことができる。
【発明を実施するための最良の形態】
【０００９】
以下に、本発明を実施形態に基づき説明する。
図１は、本発明の吸殻回収装置の全体構造を示す図、図２は、その要部の垂直断面図である。図１において、１は多数の遊技機１１が列設された遊技機設置島である。この遊技機設置島１の前側（遊技者側）には球箱などを載せるための膳板２が横設されていて、この膳板２には灰皿２１が各遊技機に対応して設けられている。この灰皿２１は膳板２を貫通する投入口２２を有している。膳板２の下面には、膳板２の長手方向に沿って細長い樋３が取り付けられており、この樋３内に仕切り壁３１を挟んで吸殻回収路３２と空気の吸引路３３とが設けられている。空気の吸引路３３は、後述する空気の吸引手段である換気扇によって吸引された空気が通過して外部に排出される。なお、吸殻回収路３２、吸引路３３は、膳板２の内部に設けることができる。
【００１０】
吸殻回収路３２には吸殻の搬送装置４が設けられている。この搬送装置４は、駆動ギア４１と、従動ギア４２と、これらの間に掛け渡されたチェーン４３と、チェーン４３の横側に所要間隔をおいて突設された吸殻清掃板４４とを備えている。チェーン４３は遊技機設置島１の一方の端から他方の端にかけて張設されていて、図示していないモータにより駆動される。また、遊技機設置島１の一端には吸殻回収室４５が設けられ、その内部には吸殻回収ボックス４６と、換気扇４７とが配置されている。
【００１１】
そして、投入口２２には開閉蓋５が設けられている。この開閉蓋５は基端が灰皿２１の奥側（遊技者とは反対側）にヒンジ５１により固定されていて、その先端には紫煙吸引口５２が設けられている。この紫煙吸引口５２は開閉蓋５内に設けられた空気の流路５３と、膳板２に設けられた連絡孔２３を通って、空気の吸引路３３と連通されている。開閉蓋５は、投入口２２を開放したとき垂直に起立され、紫煙吸引口５２は、起立された開閉蓋５の前面（遊技者側の面）に設けられているので、紫煙吸引口５２は灰皿２１側を向いている。なお、ヒンジ５１と反対側の開閉蓋５の基部は、図３に示すように、蛇腹構造のフレキシブル５４となっていて、隙間を形成することなく開閉蓋５を倒立させることができる。図４、５は開放状態、閉鎖状態にある吸殻回収装置の斜視図である。
【００１２】
以上のように構成されたものにおいては、遊技者が灰皿２に煙草を置くと立ち上る紫煙は紫煙吸引口５２に吸い込まれ、空気の流路５３，連絡孔２３，吸引路３３を通って換気扇により外部に排出される。よって室内の空気をクリーンに保つことができる。吸い終わった吸殻は投入口２２から吸殻回収路３２に投入され、吸殻清掃板４４により掃かれて遊技機設置島１の一端の吸殻回収室４５にまで搬送されて、吸殻回収ボックス４６に回収される。なお、上述したように空気の吸引路３３の一端部には、空気を吸引する換気扇４７を設け、吸引した空気をホールの外へ出すようになっている。この吸引した空気を触媒フィルタを通してホール内へ出すようにすれば、ホール内に清浄化した空気を送出することもできる。
【００１３】
なお、上記した吸殻回収装置において、開閉蓋５の基部の構造は、図６に示すようなものとすることができる。すなわち、開閉蓋５を、その背面がヒンジ５１により取付部材５５に固定されたものとして、基部の前面側には円弧状の湾曲部５６を形成することによって、図７に示すように隙間を形成することなく開閉蓋５を倒立させることができる。
【００１４】
図８〜１１に、上記したものとは別の形態の吸殻回収装置を示す。この形態においても、上記したものと同じく、膳板２の下面に膳板２の長手方向に沿って細長の吸殻回収路３２と空気の吸引路３３とが並設され、吸殻回収路３２の中に搬送装置４が配設されている。しかし、この形態のものにおいては、投入口２２の一側には、ラッパ状の紫煙吸引口５２を有する吸引部材５７が立設されているとともに、前記紫煙吸引口５２が、空気の流路５３，連絡孔２３を通って空気の吸引路３３と連通されている。従って、紫煙吸引口５２は、常時灰皿２１の上方に臨んでいるので、換気扇が運転されている限り紫煙を吸い込むことができる。
【００１５】
灰皿２１には、不使用時に投入口２２を閉鎖するための開閉蓋５が設けられている。この開閉蓋５は水平回動式のものであって、灰皿２１使用時には、投入口２２の上方から退却しているが、灰皿２１不使用時には投入口２２の上方に位置して投入口２２を閉鎖し、投入口２２から煙草の臭いや紫煙が逸出するのを防止することができる。
【００１６】
以上に説明したように、本発明の吸殻回収装置は、開閉扉を垂直に起立させたときに吸引口が吸殻の投入口より高位に位置するので、投入口から立ち上がる紫煙を確実に吸い込むことができる。また、投入口の一側に紫煙吸引口を有する吸引部材を立設したので、投入口から立ち上る紫煙を紫煙吸引口に確実に吸込んで、室内の空気を清浄に保つことができるという大きな利点がある。
【図面の簡単な説明】
【００１７】
【図１】本発明の吸殻回収装置の全体を示す概略構造図である。
【図２】開閉蓋が開放状態である吸殻回収装置の要部の垂直断面図である。
【図３】開閉蓋が閉鎖状態である吸殻回収装置の要部の垂直断面図である。
【図４】図２の斜視図である。
【図５】図３の斜視図である。
【図６】湾曲部を設けた開閉蓋の開放状態を示す垂直断面図である。
【図７】湾曲部を設けた開閉蓋の閉鎖状態を示す垂直断面図である。
【図８】別の形態の吸殻回収装置の要部の垂直断面図である。
【図９】図８の平面図である。
【図１０】図８の吸殻回収装置において開閉蓋の閉鎖状態を示す垂直断面図である。
【図１１】図１０の平面図である。
【符号の説明】
【００１８】
２  膳板、４  搬送装置、５  開閉蓋  ２２  投入口、２３  連絡孔、３２  吸殻回収路、３３  空気の吸引路、５２  紫煙吸引口、５３  空気の流路、
【図１】
2007301189.tif 000003
【図２】
2007301189.tif 000004
【図３】
2007301189.tif 000005
【図４】
2007301189.tif 000006
【図５】
2007301189.tif 000007
【図６】
2007301189.tif 000008
【図７】
2007301189.tif 000009
【図８】
2007301189.tif 000010
【図９】
2007301189.tif 000011
【図１０】
2007301189.tif 000012
【図１１】
2007301189.tif 000013